(57)【要約】【課題】表示画面の輝度ムラの発生を抑制する表示装置等を提供すること。【解決手段】表示装置１は、複数の光源を一面に固定した浅皿状の固定シャーシ１８と、前記複数の光源から入射した光を拡散する板状の拡散板１４と、該拡散板１４から出射した光により、前面に画像を表示する表示パネル１２と、該表示パネル１２の背面側に配され、前記拡散板１４の前側周縁部を覆う板状部１６１１を有する枠体と、前記板状部１６１１及び前記拡散板１４の間に介在し、光を反射又は透過させる材料で形成した緩衝材１６１ａとを備える。【選択図】図３
2017009797.tif 000002
【特許請求の範囲】
【請求項１】
複数の光源を一面に固定した浅皿状の固定シャーシと、
前記複数の光源から入射した光を拡散する板状の拡散板と、
該拡散板から出射した光により、前面に画像を表示する表示パネルと、
該表示パネルの背面側に配され、前記拡散板の前側周縁部を覆う板状部を有する枠体と、
前記板状部及び前記拡散板の間に介在し、光を反射又は透過させる材料で形成した緩衝材とを
備えることを特徴とする表示装置。
【請求項２】
前記板状部は前記表示パネルの背面と平行であり、前記表示パネル周縁の額縁領域よりも内側の表示領域まで延在していること
を特徴とする請求項１に記載の表示装置。
【請求項３】
前記板状部は白色樹脂で形成してあること
を特徴とする請求項１又は請求項２に記載の表示装置。
【請求項４】
請求項１から請求項３のいずれか一項に記載の表示装置と、
テレビジョン放送を受信する受信部と
を備え、
前記受信部にて受信したテレビジョン放送に基づいて、前記表示装置に映像を表示するようにしてあること
を特徴とするテレビジョン受信機。
【発明の詳細な説明】
【技術分野】
【０００１】
本発明は、表示パネルに光を供給するバックライトを有する表示装置等に関する。
【背景技術】
【０００２】
表示装置の備える表示パネルに光を供給するバックライトの１つに、直下方式のバックライトがある。直下方式のバックライトでは、浅皿状のバックライトシャーシの底板に光源を固定する。光源から出射した光は、バックライトシャーシの開口から底板と略平行に配置した拡散板に入射する。拡散板に入射した光は拡散され、平面光として出射され、表示パネルの背面を照射する。表示パネルは背面から入射した光を利用して、前面に画像を表示する。バックライトにおいて、枠状部材が拡散板を覆うようにして、バックライトシャーシに固定されることにより、拡散板が保持される。
【０００３】
近年、テレビジョン受信機などの表示装置においては、狭額縁化を実現するために、拡散板の周縁を覆う枠状部材が、装置内部まで延在するようになっている。それにより、枠状部材がバックライトの光を遮ったり、光を吸収したりすることにより、表示画面の周縁部に輝度ムラを発生させる原因となっている。
【０００４】
特許文献１には表示装置において、枠状部材による輝度ムラを防止するために、枠状部材の一部を透明な材料で形成することが記載されている。
【先行技術文献】
【特許文献】
【０００５】
【特許文献１】特開２０１４−２１２９５号公報
【発明の概要】
【発明が解決しようとする課題】
【０００６】
一方、拡散板の周縁部と、当該周縁部を保持する枠状部材との間には、当該周縁部が傷ついてしまうことを防ぐために、緩衝材が設けられている。従来、緩衝材は光漏れを防止するため黒色の部材で構成していた。そのため、緩衝材がバックライトの光を遮ったり、吸収したりすることにより、表示画面の周縁部に輝度ムラを発生させる原因となっている。本発明は、斯かる事情に鑑みてなされたものであって、表示画面の輝度ムラの発生を抑制する表示装置等を提供することを目的とする。
【課題を解決するための手段】
【０００７】
本発明に係る表示装置は、複数の光源を一面に固定した浅皿状の固定シャーシと、前記複数の光源から入射した光を拡散する板状の拡散板と、該拡散板から出射した光により、前面に画像を表示する表示パネルと、該表示パネルの背面側に配され、前記拡散板の前側周縁部を覆う板状部を有する枠体と、前記板状部及び前記拡散板の間に介在し、光を反射又は透過させる材料で形成した緩衝材とを備えることを特徴とする。
【０００８】
本発明に係る表示装置は、前記板状部は前記表示パネルの背面と平行であり、前記表示パネル周縁の額縁領域よりも内側の表示領域まで延在していることを特徴とする。
【０００９】
本発明に係る表示装置は、前記板状部は白色樹脂で形成してあることを特徴とする。
【００１０】
本発明に係るテレビジョン受信機は、上記に記載の表示装置と、テレビジョン放送を受信する受信部とを備え、前記受信部にて受信したテレビジョン放送に基づいて、前記表示装置に映像を表示するようにしてあることを特徴とする。
【発明の効果】
【００１１】
本発明にあっては、表示画面の輝度ムラの発生を抑制することが可能となる。
【図面の簡単な説明】
【００１２】
【図１】表示装置の構成例を示す外観斜視図である。
【図２】表示装置の主要部の分解斜視図である。
【図３】表示装置の主要部の構造を示す部分縦断面図である。
【図４】パネルシャーシの部分斜視図である。
【図５】緩衝材が貼り付けられたパネルシャーシの部分斜視図である。
【発明を実施するための形態】
【００１３】
実施形態１
以下、実施形態を、図面を参照しつつ説明する。以下の説明では、図において矢符で示す上下、前後、及び左右を使用する。なお、後面を背面と記載する場合もある。図１は表示装置１の構成例を示す外観斜視図である。表示装置１は、液晶表示パネル（表示パネル）１２、受信部２２、電源部２３を備えるテレビジョン受信機として構成されている。図１において、表示装置１はテーブルなどの平面に縦姿勢で設置するためのスタンド３、３が取付けられている。
【００１４】
受信部２２は、図示しないアンテナを介して、テレビジョン放送を受信する。受信したテレビジョン放送に基づいて液晶表示パネル１２は映像を表示する。電源部２３は表示装置１の各部に電源を供給する。
【００１５】
図２は表示装置１の主要部の分解斜視図である。表示装置１は、フロントフレーム１１、液晶表示パネル（表示パネル）１２、光学シート１３、拡散板１４、反射シート１５、パネルシャーシ（枠体）１６、ＬＥＤ基板１７、バックライトシャーシ（固定シャーシ）１８、拡散板ホルダ１９、ミドルキャビネット２０、リアキャビネット２１を含む。
【００１６】
バックライトシャーシ１８は、矩形板状の底板を有し、一面が開口された浅皿状をなしている。バックライトシャーシ１８は鋼板などの金属により形成する。
【００１７】
バックライトシャーシ１８の底板には、光源としてのＬＥＤ（Ｌｉｇｈｔ  Ｅｍｉｔｔｉｎｇ  Ｄｉｏｄｅ）１７ａを一面に備えたＬＥＤ基板１７が固定されている。
【００１８】
ＬＥＤ基板１７の前側には、白色の矩形状シートを箱状に整形した反射シート１５が取付けられている。反射シート１５は、底面がバックライトシャーシ１８の底板面と略同形である。反射シート１５の底面にはＬＥＤ１７ａに対応した位置に貫通した光源孔１５１が設けてある。ＬＥＤ１７ａは光源孔１５１から前方に突出している。反射シート１５の矩形状底面から斜めに延びる側面部は、バックライトシャーシ１８の開口部まで延在している。
【００１９】
バックライトシャーシ１８の開口部周縁には、枠状の拡散板ホルダ１９が取付けられている。拡散板ホルダ１９は、ＰＣ（ｐｏｌｙｃａｒｂｏｎａｔｅ：ポリカーボネート）、ＡＢＳ樹脂（アクリロニトリル、ブタジエン、スチレン共重合合成樹脂）などの合成樹脂で形成する。拡散板ホルダ１９の前面に、反射シート１５の側面部の端部が載置される。
【００２０】
拡散板１４はバックライトシャーシ１８の開口部と略同じ大きさの矩形板状をなす。拡散板１４は背面から入射した光を拡散整形し、前面から出射する。拡散板１４の背面周縁部は、バックライトシャーシ１８に取付けられた拡散板ホルダ１９に載せられる。
【００２１】
パネルシャーシ１６は、枠状をなしている。パネルシャーシ１６は、拡散板１４の前側周縁部を覆うようにして、バックライトシャーシ１８に固定される。
【００２２】
バックライトシャーシ１８、ＬＥＤ基板１７、パネルシャーシ１６、反射シート１５、拡散板１４により、バックライトが構成される。バックライトにおいて、ＬＥＤ基板１７に設けられたＬＥＤの光は、拡散板１４の背面から入射する。拡散板１４により拡散整形された前面から出射される。拡散板１４に入射しない光は反射シート１５により反射され、拡散板１４に入射する。
【００２３】
光学シート１３は、入射する光を拡散又は集光する等の機能を備える略矩形のシートを複数枚含む。
【００２４】
液晶表示パネル１２は横長の矩形板状をなし、前面に画像を表示する。
【００２５】
フロントフレーム１１は横長の矩形枠状をなしている。フロントフレーム１１は、アルミニウム、合成樹脂などで形成してある。
【００２６】
ミドルキャビネット２０は矩形枠状をなし、表示装置１の側面の外観を形作る部品である。ミドルキャビネット２０は、ＰＣ、ＡＢＳ樹脂などの合成樹脂で形成する。
【００２７】
リアキャビネット２１は、矩形状の底面を有し、一面が開口された箱体状をなしている。リアキャビネット２１はＰＣ、ＡＢＳ樹脂などの合成樹脂で形成する。
【００２８】
図３は表示装置１の主要部の構造を示す部分縦断面図である。図３を参照しつつ、表示装置１の組み立て方法について、簡単に説明する。上述したバックライトを用意する。図３では、パネルシャーシ１６の一辺を構成するパネルシャーシ部材１６１が示されている。パネルシャーシ１６は、拡散板１４の前側周縁部を覆うようにして、バックライトシャーシ１８に固定されている。パネルシャーシ１６と拡散板１４との間には、緩衝材１６１ａが介在している。
【００２９】
表示装置１の組み立ての際には、パネルシャーシ１６に、光学シート１３の周縁部が載せられる。更に、液晶表示パネル１２が、緩衝材１２ａを介在してパネルシャーシ１６に載せられる。パネルシャーシ１６において、液晶表示パネル１２が載せられる部分は、光学シート１３が載せられる部分より、外側としてある。
【００３０】
フロントフレーム１１を液晶表示パネル１２の前側周縁部及び周側を覆うようにして、バックライトシャーシ１８に固定する。ミドルキャビネット２０で側面を覆い、リアキャビネット２１で後側を覆うようにして、ミドルキャビネット２０と共にリアキャビネット２１をバックライトシャーシ１８にネジにより固定する。
【００３１】
次に、パネルシャーシ１６と拡散板１４との間に設けられる緩衝材について述べる。図４はパネルシャーシ１６の部分斜視図である。図５は緩衝材１６１ａが貼り付けられたパネルシャーシ１６の部分斜視図である。図４では、枠状のパネルシャーシ１６の一辺を構成する棒状のパネルシャーシ部材１６１を示している。また、パネルシャーシ部材１６１に取付けられる緩衝材１６１ａを示している。
【００３２】
パネルシャーシ部材１６１は、断面Ｔ字状をなす長尺部材である。パネルシャーシ部材１６１は、上下方向に延在する主板部（板状部）１６１１、主板部１６１１から前方向に突出する第１天板部１６１２、主板部１６１１から後方向に突出する第２天板部１６１３を含む。第１天板部１６１２は左右方向に不連続に設けられている。同様に第２天板部１６１３は左右方向不連続に設けられている。第２天板部１６１３が不連続な箇所には、貫通穴を有する固定部１６１４が設けてある。固定部１６１４の貫通穴には、バックライトシャーシ１８に設けられた凸部が嵌入する。これにより、パネルシャーシ部材１６１はバックライトシャーシ１８に固定される。
【００３３】
パネルシャーシ部材１６１の主板部１６１１の後側の面には、緩衝材１６１ａが貼り付けられる。図４に示すように、緩衝材１６１ａは断面が矩形状で、左右に長い棒状部材である。緩衝材１６１ａは白色のウレタンなどで形成してある。緩衝材１６１ａは、高密度で、微細、且つ均一なセル構造を持ったマイクロセルポリマーシートにより形成することが望ましい。
【００３４】
パネルシャーシ部材１６１の主板部１６１１の後面に貼り付けられた緩衝材１６１ａは、拡散板１４の前側周縁部と接触している。これにより、パネルシャーシ部材１６１は、拡散板１４の前面を傷つけることなく、拡散板ホルダ１９との間で、拡散板１４を挟持固定することが可能となる。
【００３５】
以上のように、実施形態１の表示装置１では、狭額縁化を実現するため、フロントフレーム１１の前側部分の幅ｄ0を可及的に狭くすることが望ましい。一方、拡散板１４は動作環境により熱膨張する。そのため、拡散板１４の端面と当該端面に対向する拡散板ホルダ１９の対向面との距離ｄ1は、膨張した拡散板１４が納まる長さを確保する必要がある。以上のことから、実施形態１の表示装置１では、パネルシャーシ部材１６１の主板部１６１１の先端は、液晶表示パネル１２の表示領域周縁にある額縁領域よりも、内側（下側）の位置まで延びている。表示領域を画定しているのがブラックマトリクス１２１である。図５において、境界線Ｌより上側が額縁領域であり、境界線Ｌより下側が表示領域（アクティブエリア）である。つまり、液晶表示パネル１２の表示領域まで、主板部１６１１が延びている。そのため、主板部１６１１に貼り付けられている緩衝材１６１ａを従来のように黒色とした場合は、拡散板１４から出射した光の一部を緩衝材１６１ａが吸収してしまう。それにより、液晶表示パネル１２に輝度ムラが発生する。しかしながら、実施形態１では、緩衝材１６１ａを白色としたため、緩衝材１６１ａは光を反射するので、液晶表示パネル１２の輝度ムラの発生を抑制することが可能となる。なお、緩衝材１６１ａは白色に限らない。光の反射性能に優れた、例えば、クリーム色、黄色などでも良い。
【００３６】
実施形態２
実施形態２は緩衝材１６１ａを透明素材により形成した構成に関するである。それ以外の構成については、実施形態１と同様であるから、説明を省略する。実施形態２では、緩衝材１６１ａを、例えば、それぞれ透明なＰＶＣ（Ｐｏｌｙｖｉｎｙｌ  Ｃｈｌｏｒｉｄｅ、ポリ塩化ビニル）、ポリウレタン、シリコーンにより構成する。緩衝材１６１ａは、全体として透明な部材とする。
【００３７】
実施形態２においては、緩衝材１６１ａを透明素材で形成してあるので、拡散板１４から出射された光を透過し、吸収しない。それにより、液晶表示パネル１２の輝度ムラの発生を抑制することが可能となる。
【００３８】
実施形態３
実施形態３はパネルシャーシ１６を白色の樹脂で形成した構成に関する。それ以外の構成については、実施形態１と同様であるから、説明を省略する。実施形態３では、例えば、パネルシャーシ１６を白色樹脂、例えば、ポリカーボネート、ＡＢＳ樹脂で形成する。
【００３９】
実施形態３においては、パネルシャーシ１６を白色樹脂により形成することにより、拡散板１４から出射した光を反射する。それにより、液晶表示パネル１２の輝度ムラの発生を抑制することが可能となる。なお、パネルシャーシ１６において、輝度ムラの発生に関係するのは、主板部１６１１の先端部分であるので、当該先端部分のみを白色としても良い。
【００４０】
各実施例で記載されている技術的特徴（構成要件）はお互いに組合せ可能であり、組み合わせすることにより、新しい技術的特徴を形成することができる。
今回開示された実施形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【００４１】
以上の実施の形態に関し、更に以下の事項を開示する。
【００４２】
本発明に係る表示装置（１）は、複数の光源（１７ａ）を一面に固定した浅皿状の固定シャーシ（１８）と、前記複数の光源（１７ａ）から入射した光を拡散する板状の拡散板（１４）と、該拡散板（１４）から出射した光により、前面に画像を表示する表示パネル（１２）と、該表示パネル（１２）の背面側に配され、前記拡散板（１４）の前側周縁部を覆う板状部（１６１１）を有する枠体（１６）と、前記板状部（１６１１）及び前記拡散板（１４）の間に介在し、光を反射又は透過させる材料で形成した緩衝材（１６１ａ）とを備えることを特徴とする。
【００４３】
本発明にあっては、板状部（１６１１）と及び拡散板（１４）の間に位置する緩衝材（１６１ａ）は、光を反射又は透過させる材料で形成したので、緩衝材（１６１ａ）が光を吸収することに起因する表示パネル（１２）の輝度ムラの発生を抑制することが可能となる。
【００４４】
本発明に係る表示装置（１）は、前記板状部（１６１１）は前記表示パネル（１２）の背面と平行であり、前記表示パネル（１２）周縁の額縁領域よりも内側の表示領域まで延在していることを特徴とする。
【００４５】
本発明にあっては、板状部（１６１１）は額縁領域よりも内側の表示領域まで延在しているので、表示装置（１）の狭額縁化を実現することが可能となる。
【００４６】
本発明に係る表示装置（１）は、前記板状部（１６１１）は白色樹脂で形成してあることを特徴とする。
【００４７】
本発明にあっては、板状部（１６１１）を白色樹脂で形成してあり、板状部（１６１１）は入射した光を反射する。それにより、表示パネル（１２）の輝度ムラの発生を抑制することが可能となる。
【００４８】
本発明に係るテレビジョン受信機は、上記に記載の表示装置と、テレビジョン放送を受信する受信部（２２）とを備え、前記受信部（２２）にて受信したテレビジョン放送に基づいて、前記表示装置に映像を表示するようにしてあることを特徴とする。
【００４９】
本発明にあっては、板状部（１６１１）及び拡散板（１４）の間に介在する緩衝材（１６１ａ）は、光を反射又は透過させるので、表示パネル（１２）の輝度ムラの発生を抑制することが可能となる。
【符号の説明】
【００５０】
１        表示装置
１１      フロントフレーム
１２      液晶表示パネル（表示パネル）
１２１    ブラックマトリクス
１３      光学シート
１４      拡散板
１５      反射シート
１５１    光源孔
１６      パネルシャーシ（枠体）
１６１    パネルシャーシ部材
１６１ａ  緩衝材
１６１１  主板部（板状部）
１６１２  第１天板部
１６１３  第２天板部
１６１４  固定部
１７      ＬＥＤ基板
１７ａ    ＬＥＤ（光源）
１８      バックライトシャーシ（固定シャーシ）
１９      拡散板ホルダ
２０      ミドルキャビネット
２１      リアキャビネット
２２      受信部
２３      電源部
３        スタンド
【図１】
2017009797.tif 000003
【図２】
2017009797.tif 000004
【図３】
2017009797.tif 000005
【図４】
2017009797.tif 000006
【図５】
2017009797.tif 000007